(57)【要約】      （修正有）【課題】搬送する土砂が粘性の高い土砂であっても、スクリューのシャフトとハネとに土砂がへばり付いて詰まることによって土砂の搬送量が減少することを抑制することができるスクリューコンベアを提供する。【解決手段】スクリュー３を具備し、スクリュー３を回転駆動させることによって、上流側から下流側に土砂を搬送するように構成される、スクリューコンベアであって、スクリュー３は、シャフト７と、シャフト７に設けられる螺旋状のハネ８と、シャフト７とハネ８とで囲まれる空間に位置する土砂のうち一部の土砂が通過可能にハネ８に形成される貫通孔９と、を備えるものである。【選択図】図２
2014227253.tif 000002
【特許請求の範囲】
【請求項１】
スクリューを具備し、前記スクリューを回転駆動させることによって、上流側から下流側に土砂を搬送するように構成される、スクリューコンベアであって、
前記スクリューは、シャフトと、前記シャフトに設けられる螺旋状のハネと、前記シャフトと前記ハネとで囲まれる空間に位置する土砂のうち一部の土砂が通過可能に前記ハネに形成される貫通孔と、を備える、
スクリューコンベア。
【請求項２】
前記スクリューの前記貫通孔は、前記シャフトの近傍に位置するように形成される、
請求項１に記載のスクリューコンベア。
【請求項３】
前記スクリューは、前記貫通孔を複数個備える、
請求項１または請求項２に記載のスクリューコンベア。
【発明の詳細な説明】
【技術分野】
【０００１】
本発明は、スクリューコンベアの技術に関する。
【背景技術】
【０００２】
従来、トンネル工事、また、建造物の基礎工事等の採掘現場において土砂を搬送するために用いられるコンベア装置に関する技術は種々知られている。
【０００３】
また、このような採掘現場において採掘された土砂を上流側から下流側に土砂を搬送するスクリューコンベアの技術は公知となっている（特許文献１参照）。
前記スクリューコンベアは、シャフトに螺旋状のハネが設けられて構成されるスクリューを具備し、スクリューのシャフトとハネとで囲まれる空間に土砂を配置した状態でスクリューが回転駆動することによって、土砂を搬送するように構成される。
【先行技術文献】
【特許文献】
【０００４】
【特許文献１】特開２００２−３２１８１２号公報
【発明の概要】
【発明が解決しようとする課題】
【０００５】
しかしながら、前記スクリューコンベアでは、搬送する土砂が粘性の高いもの（例えば、粘土質の土砂、または、地盤改良材によって粘性が高まった土砂）である場合、スクリューのシャフトとハネとで囲まれる空間において、スクリューのシャフトとハネとに土砂がへばり付いて詰まる場合がある。
そして、前記スクリューコンベアでは、このように搬送する土砂が粘性の高いものの場合にスクリューのシャフトとハネとに土砂がへばり付いて詰まることによって、土砂の搬送量が減少する、という問題があった。
【０００６】
本発明は以上の如き状況に鑑みてなされたものであり、搬送する土砂が粘性の高い土砂であっても、スクリューのシャフトとハネとに土砂がへばり付いて詰まることによって土砂の搬送量が減少することを抑制することができるスクリューコンベアを提供することを課題とする。
【課題を解決するための手段】
【０００７】
本発明の解決しようとする課題は以上の如くであり、次にこの課題を解決するための手段を説明する。
【０００８】
即ち、請求項１においては、スクリューを具備し、前記スクリューを回転駆動させることによって、上流側から下流側に土砂を搬送するように構成される、スクリューコンベアであって、前記スクリューは、シャフトと、前記シャフトに設けられる螺旋状のハネと、前記シャフトと前記ハネとで囲まれる空間に位置する土砂のうち一部の土砂が通過可能に前記ハネに形成される貫通孔と、を備えるものである。
【０００９】
請求項２においては、前記スクリューの前記貫通孔は、前記シャフトの近傍に位置するように形成されるものである。
【００１０】
請求項３においては、前記スクリューは、前記貫通孔を複数個備えるものである。
【発明の効果】
【００１１】
本発明の効果として、以下に示すような効果を奏する。
即ち、本発明によれば、搬送する土砂が粘性の高い土砂であっても、スクリューのシャフトとハネとに土砂がへばり付いて詰まることによって土砂の搬送量が減少することを抑制することができる。
【図面の簡単な説明】
【００１２】
【図１】本発明の実施形態に係るスクリューコンベアの全体的な構成を示した模式図。
【図２】同じくスクリューコンベアのスクリューを示す平面図。
【図３】同じくスクリューコンベアのスクリューを示す平面図。
【図４】同じくスクリューコンベアのスクリューを示す平面図。
【図５】同じくスクリューコンベアのスクリューを示す平面図。
【図６】同じくスクリューコンベアのスクリューを示す平面図。
【図７】同じくスクリューコンベアのスクリューを示す平面図。
【図８】同じくスクリューコンベアのスクリューを示す平面図。
【図９】同じくスクリューコンベアのスクリューを示す平面図。
【図１０】同じくスクリューコンベアのスクリューを示す平面図。
【図１１】同じくスクリューコンベアのスクリューを示す平面図。
【発明を実施するための形態】
【００１３】
次に、本発明の実施形態に係るスクリューコンベア１について、図１から図１１を用いて説明する。
【００１４】
スクリューコンベア１は、上流側から下流側に土砂（例えば、トンネル工事、また、建造物の基礎工事等において、採掘された土砂）を搬送するように構成される。
図１に示すように、スクリューコンベア１は、ケース２と、スクリュー３と、駆動装置４と、入口部５と、出口部６と、を具備して構成される。
【００１５】
スクリューコンベア１のケース２は、略円筒状に構成される。ケース２は、その内部にスクリュー３を配置可能に構成される。
スクリューコンベア１のスクリュー３は、スクリュー状に構成される。スクリュー３は、スクリュー３の軸心とケース２の軸心とが一致するように（同一方向を向くように）ケース２内に配置される。
スクリューコンベア１の駆動装置４は、スクリュー３を回転駆動させるように構成される。
スクリューコンベア１の入口部５は、スクリューコンベア１にて土砂を搬送するときに、土砂がスクリューコンベア１内（ケース２内）に入れられる（投入される）部分である。
スクリューコンベア１の出口部６は、スクリューコンベア１にて搬送された土砂がスクリューコンベア１内（ケース２内）から出される（排出される）部分である。
【００１６】
スクリューコンベア１のスクリュー３は、シャフト７と、ハネ８と、を備えて構成される。
スクリュー３は、シャフト７の外面からシャフト７の半径方向（外側）に突出するように、シャフト７にハネ８が設けられて構成される。
スクリュー３は、螺旋状のハネ８がシャフト７に設けられて構成される。
【００１７】
このように構成されるスクリューコンベア１は、スクリュー３のシャフト７とハネ８とで囲まれる空間に土砂を配置した状態でスクリュー３が回転駆動することによって、入口部５からケース２内に入れられた土砂を、上流側から下流側に搬送して、出口部６から出すように構成される。
【００１８】
図２に示すように、スクリューコンベア１のスクリュー３は、貫通孔９を備えて構成される。
スクリュー３の貫通孔９は、シャフト７とハネ８とで囲まれる空間に位置する土砂のうち一部の土砂が通過可能に構成される。スクリュー３の貫通孔９は、シャフト７とハネ８とで囲まれる空間に位置する土砂のうち一部の土砂が通過して下流側に移動する（下流側に脱落する）ように構成される。スクリュー３の貫通孔９は、シャフト７とハネ８とで囲まれる空間に位置する土砂のうち一部の土砂が通過して当該シャフト７とハネ８とで囲まれる空間においてその位置する箇所から別の箇所に移動する（下流側に脱落する）ように構成される。
スクリュー３の貫通孔９は、ハネ８に形成される。
スクリュー３の貫通孔９は、スクリュー３の軸心方向にハネ８を貫通するように形成される。
【００１９】
以上のように、スクリュー３が、シャフト７とハネ８とで囲まれる空間に位置する土砂のうち一部の土砂が通過可能にハネ８に形成される貫通孔９を備える、スクリューコンベア１では、上流側から下流側に土砂を搬送するときに、スクリュー３のシャフト７とハネ８とで囲まれる空間に位置する土砂のうち一部の土砂が、スクリュー３の貫通孔９を通過して、当該シャフト７とハネ８とで囲まれる空間においてその位置する箇所から別の箇所に移動する（下流側に脱落する）こととなる。
したがって、スクリューコンベア１によれば、搬送する土砂が粘性の高い土砂であっても、スクリュー３のシャフト７とハネ８とに土砂がへばり付いて詰まることによって土砂の搬送量が減少することを抑制することができる。
【００２０】
スクリューコンベア１のスクリュー３の貫通孔９は、シャフト７の近傍に位置するように形成される。スクリュー３の貫通孔９は、シャフト７の周り（シャフト７の半径方向外側）に位置するように形成される。
スクリュー３の貫通孔９は、スクリュー３の軸心方向（土砂の搬送方向）から見て、略扇状（扇面状）に形成される。スクリュー３の貫通孔９は、ハネ８の円周方向に沿うように形成される。スクリュー３の貫通孔９は、スクリュー３の回転方向に沿うように形成される。
【００２１】
以上のように、スクリュー３の貫通孔９がシャフト７の近傍に位置するように形成されるスクリューコンベア１では、上流側から下流側に土砂を搬送するときに、スクリュー３のシャフト７とハネ８とで囲まれる空間に位置する土砂のうち一部の土砂（特に、シャフト７近傍に位置する土砂）が、スクリュー３の貫通孔９を通過することとなる。
したがって、スクリューコンベア１によれば、搬送する土砂が粘性の高い土砂であっても、スクリュー３のシャフト７とハネ８とに土砂がへばり付いて（特に、シャフト７に土砂がへばり付いて）詰まることによって土砂の搬送量が減少することを確実に抑制することができる。
【００２２】
スクリューコンベア１のスクリュー３は、複数個の貫通孔９を備える。
スクリュー３の貫通孔９は、ハネ８に複数個形成される。
スクリュー３の貫通孔９は、上流側端に位置するハネ８と下流側端に位置するハネ８とを除いて、ハネ８の１ピッチ毎（ハネ８がシャフト７の外面を一周する毎）に、少なくとも一個ずつ配置される。
スクリュー３の貫通孔９は、３６０°位相をずらすように配置される。
スクリュー３の複数個の貫通孔９は、スクリュー３の軸心方向（土砂の搬送方向）から見て、互いに一致して重なるように配置される。
【００２３】
以上のように、スクリュー３が貫通孔９を複数個備える、スクリューコンベア１では、上流側から下流側に土砂を搬送するときに、スクリュー３のシャフト７とハネ８とで囲まれる空間に位置する土砂のうち一部の土砂が、スクリュー３の複数個の貫通孔９を通過することとなる。
したがって、スクリューコンベア１によれば、搬送する土砂が粘性の高い土砂であっても、スクリュー３のシャフト７とハネ８とに土砂がへばり付いて詰まることによって土砂の搬送量が減少することを確実に抑制することができる。
【００２４】
また、図３に示すように、スクリューコンベア１のスクリュー３は、ハネ８の１ピッチ毎に、二個（複数個）の貫通孔９が配置される構成とすることもできる。
スクリュー３の貫通孔９は、シャフト７の軸心を中心にして１８０°ずつ位相をずらすように配置される。
【００２５】
以上のように、スクリュー３はハネ８の１ピッチ毎に複数個の貫通孔９が配置されて構成される、スクリューコンベア１では、上流側から下流側に土砂を搬送するときに、スクリュー３のシャフト７とハネ８とで囲まれる空間に位置する土砂のうち一部の土砂が、スクリュー３の複数個の貫通孔９を通過することとなる。
したがって、スクリューコンベア１によれば、搬送する土砂が粘性の高い土砂であっても、スクリュー３のシャフト７とハネ８とに土砂がへばり付いて詰まることによって土砂の搬送量が減少することを確実に抑制することができる。
【００２６】
また、図４に示すように、スクリューコンベア１のスクリュー３は、ハネ８の１ピッチ毎に、二個の貫通孔９が配置される構成とすることもできる。
スクリュー３の貫通孔９は、シャフト７の軸心を中心にして２４０°ずつ位相をずらすように配置される。
【００２７】
また、図５に示すように、スクリューコンベア１のスクリュー３は、ハネ８の１ピッチ毎に、三個の貫通孔９が配置される構成とすることもできる。
スクリュー３の貫通孔９は、シャフト７の軸心を中心にして１２０°ずつ位相をずらすように配置される。
【００２８】
また、図６に示すように、スクリューコンベア１のスクリュー３は、ハネ８の１ピッチ毎に、四個の貫通孔９が配置される構成とすることもできる。
スクリュー３の貫通孔９は、シャフト７の軸心を中心にして９０°ずつ位相をずらすように配置される。
【００２９】
また、図７に示すように、スクリューコンベア１のスクリュー３は、ハネ８の１ピッチ毎に、五個（複数個）の貫通孔９が配置される構成とすることもできる。
スクリュー３の貫通孔９は、シャフト７の軸心を中心にして７２°ずつ位相をずらすように配置される。
【００３０】
また、図８に示すように、スクリューコンベア１のスクリュー３は、ハネ８の１ピッチ毎に、八個（複数個）の貫通孔９が配置される構成とすることもできる。
スクリュー３の貫通孔９は、シャフト７の軸心を中心にして４５°ずつ位相をずらすように配置される。
【００３１】
また、図９に示すように、スクリューコンベア１のスクリュー３は、複数個の貫通孔９が、スクリュー３の軸心方向（土砂の搬送方向）から見て、互いに位置がズレつつ一部で重なるように構成することもできる。
スクリュー３の複数個の貫通孔９は、スクリュー３の軸心方向（土砂の搬送方向）から見て、直近の貫通孔９同士の一部において互いに重なるように配置される。スクリュー３の複数個の貫通孔９は、スクリュー３の軸心方向（土砂の搬送方向）から見て、直近の貫通孔９同士の一部において互いに重ならないように配置される。
スクリュー３の複数個の貫通孔９は、８０°位相をずらすように配置される。
【００３２】
また、図１０に示すように、スクリューコンベア１のスクリュー３は、スクリュー３の軸心方向（土砂の搬送方向）から見て、貫通孔９が角丸状に形成されて構成することもできる。
【００３３】
また、図１１に示すように、スクリューコンベア１のスクリュー３は、スクリュー３の軸心方向（土砂の搬送方向）から見て、貫通孔９が円状に形成されて構成することもできる。
【００３４】
なお、スクリューコンベア１は、その軸心方向（搬送方向）に複数個台のスクリューコンベア１を連結可能に構成される。
また、スクリューコンベア１は、垂直方向（下方から上方）に土砂を搬送する垂直スクリューコンベア１ａと、水平方向（左右または前後方向）に土砂を搬送する水平スクリューコンベア１ｂと、が連結されて構成されるが（図１参照）、垂直スクリューコンベア１ａのみ、または、水平スクリューコンベア１ｂのみで構成することもできる。
【符号の説明】
【００３５】
１  スクリューコンベア
２  ケース
３  スクリュー
４  駆動装置
５  入口部
６  出口部
７  シャフト
８  ハネ
９  貫通孔
【図１】
2014227253.tif 000003
【図２】
2014227253.tif 000004
【図３】
2014227253.tif 000005
【図４】
2014227253.tif 000006
【図５】
2014227253.tif 000007
【図６】
2014227253.tif 000008
【図７】
2014227253.tif 000009
【図８】
2014227253.tif 000010
【図９】
2014227253.tif 000011
【図１０】
2014227253.tif 000012
【図１１】
2014227253.tif 000013